(57)【要約】【課題】非接触記録媒体が確実に回収できるようにする。【解決手段】投入口の近傍に設けられたアンテナを介してその投入口に投入された非接触記録媒体と通信を行って所定の処理を行うとともに、その投入された非接触記録媒体を回収する非接触記録媒体回収装置において、前記投入口に投入された非接触記録媒体の回収状態を検出する検出手段を設けるとともに、その検出手段でその投入された非接触記録媒体が回収されたことが検出された後に前記所定の処理を行うように制御する制御手段を設ける。【選択図】      図１
2004199329.tif 000002
【特許請求の範囲】
【請求項１】
投入口の近傍に設けられたアンテナを介してその投入口に投入された非接触記録媒体と通信を行って所定の処理を行うとともに、その投入された非接触記録媒体を回収する非接触記録媒体回収装置において、
前記投入口に投入された非接触記録媒体の回収状態を検出する検出手段を設けるとともに、その検出手段でその投入された非接触記録媒体が回収されたことが検出された後に前記所定の処理を行うように制御する制御手段を設けたことを特徴とする非接触記録媒体回収装置。
【請求項２】
請求項１に記載の非接触記録媒体回収装置において、検出手段は、非接触記録媒体の回収通路に設けられたホトセンサからなることを特徴とする非接触記録媒体回収装置。
【請求項３】
請求項１に記載の非接触記録媒体回収装置において、検出手段は、非接触記録媒体の回収通路に設けられた金属センサからなることを特徴とする非接触記録媒体回収装置。
【請求項４】
請求項１に記載の非接触記録媒体回収装置において、検出手段は、非接触記録媒体の回収通路に設けられたその非接触記録媒体と通信を行うアンテナからなることを特徴とする非接触記録媒体回収装置。
【請求項５】
請求項４に記載の非接触記録媒体回収装置において、アンテナは、投入口の近傍に設けられたアンテナと同一の制御回路に接続されていることを特徴とする非接触記録媒体回収装置。
【発明の詳細な説明】
【０００１】
【発明の属する技術分野】
本発明は、非接触記録媒体回収装置に関し、特に、コイン状の非接触記録媒体を効率よく回収処理できるようにしたものに関する。
【０００２】
本出願人は、先に、特願２００１−３０８３７８号、同３１２７７６号及び同３２９０９３号等において、カード状の非接触記録媒体（非接触式情報記録媒体）である非接触券及びコイン状の非接触記録媒体であるトークンの両方を処理することのできる非接触式自動改札機を提案している。
【０００３】
この提案に係る非接触式自動改札機においては、普通乗車券のような短期使用券をトークンで実現できるので、磁気券を必要としない改札システムを構築することが可能となり、また、そのトークンは、出場の際に回収して再使用されるので、省資源化を図ることが可能となる特長がある。
【０００４】
上記トークンは、トークン発行機から発行されたトークンを非接触式自動改札機の筐体上面に設けられているアンテナにかざして、又は軽くタッチして入場することができる。そして、出場の際は、非接触式自動改札機の筐体上面に設けられているトークンの投入口に投入して出場することができる。
【０００５】
すなわち、投入口に投入されたトークンは、その投入口近傍に設けられているリーダライタ（Ｒ／Ｗ）のアンテナを介してそのトークンに記録されているデータ（トークンデータ）が読取られる。そして、その読取られたデータを基にした所定の出場処理の演算処理の結果、出場を許可できるときは、その投入されたトークンは非接触式自動改札機内に回収されるとともに、ドアが開かれて（ノーマルオープン型のときはそのまま）出場が許可され、その所定の出場処理の演算処理の結果、出場を許可できないときはドアが閉じられるとともに、投入されたトークンは返却口に返却され、さらに、表示画面やスピーカを介して精算案内等の所定の案内が行われる。
【０００６】
【発明が解決しようとする課題】
しかしながら、上記従来の非接触記録媒体回収装置は、投入口に投入されて正常な非接触記録媒体と判定されると、ドアが開かれる等の所定の処理が行われるため、非接触記録媒体に何らかの細工をしてその非接触記録媒体を持ち去ったり、あるいは、非接触記録媒体と同じ擬似信号を携帯型の通信装置から送信して所定の処理を行わせるような不正が行われるおそれがあった。
【０００７】
そこで、本発明は、上述のような不正を未然に防止することができるとともに、非接触記録媒体を確実に回収することができる非接触記録媒体回収装置を提供することを目的としている。
【０００８】
【課題を解決するための手段】
本発明に係る非接触記録媒体回収装置は、上記目的を達成するために、請求項１に記載の発明は、投入口の近傍に設けられたアンテナを介してその投入口に投入された非接触記録媒体と通信を行って所定の処理を行うとともに、その投入された非接触記録媒体を回収する非接触記録媒体回収装置において、前記投入口に投入された非接触記録媒体の回収状態を検出する検出手段を設けるとともに、その検出手段でその投入された非接触記録媒体が回収されたことが検出された後に前記所定の処理を行うように制御する制御手段を設けたことを特徴としている。
本発明の請求項２に記載の非接触記録媒体回収装置は、検出手段は、非接触記録媒体の回収通路に設けられたホトセンサからなることを特徴としている。
本発明の請求項３に記載の非接触記録媒体回収装置は、検出手段は、非接触記録媒体の回収通路に設けられた金属センサからなることを特徴としている。
本発明の請求項４に記載の非接触記録媒体回収装置は、検出手段は、非接触記録媒体の回収通路に設けられたその非接触記録媒体と通信を行うアンテナからなることを特徴としている。
本発明の請求項５に記載の非接触記録媒体回収装置は、アンテナは、投入口の近傍に設けられたアンテナと同一の制御回路に接続されていることを特徴としている。
【０００９】
【発明の実施の形態】
以下、本発明の実施の形態を図面に基づいて説明する。図１は、本発明に係る非接触記録媒体回収装置を非接触式自動改札機に適用したときの投入口部分の概略構成図である。また、ここでは、本発明に係る非接触記録媒体は、コイン状のトークンＴとして示されている。このトークンＴは、無線通信機能を有するＩＣカードと同じ機能を有し、ここでは、普通乗車券のような短期使用券として使用されている。
【００１０】
投入口１は、図示しない非接触式自動改札機の改札通路の入口側上面の筐体に設けられている。そして、その投入口１の下方には、垂直状の通路２が設けられいる。この通路の下部には、図示しないソレノイドで駆動されるウイングＷが設けられていて、回収通路２ａ及び返却通路２ｂに分けられている。ウイングＷは、図１の実線で示される位置のとき、投入口１に投入されたトークンＴを図示しない回収箱へ導き、また、図１の鎖線で示される位置のとき、投入されたトークンＴを図示しない返却口へ導いて利用者（旅客）へ返却できるように構成されている。
【００１１】
図１中、Ｓは図示しないソレノイドで駆動されるシャッタであり、投入口１の開口位置近くで、ウイングＷの位置よりも上側に設けられている。このシャッタＳは、図１の実線で示される位置のとき、つまり、開いているとき、投入口１へのトークンＴの投入が可能となり、また、図１の鎖線で示される位置のとき、投入口１へのトークンＴの投入は不可能となり、さらに、このシャッタＳが閉じられたときは、シャッタＳよりも下方に位置しているトークンＴを取出すことが不可能となるように構成されている。
【００１２】
図１中、ａは、投入口１の近傍に設けられたアンテナであり、リーダライタ機能を有するＣＰＵを中心に形成された制御回路Ｃに接続されている。すなわち、制御回路Ｃは、アンテナａを介して投入口１に投入しようとして近付けられたトークンＴと交信（通信）できるように構成されているとともに、上記シャッタＳやウイングＷのソレノイドも駆動制御できるように構成されている。
【００１３】
図１中、３は、ホトセンサからなるセンサ（本発明の検出手段に相当している。）であって、ウイングＷの位置よりも下方の回収通路２ａに設けられていて、その回収通路２ａを通過（落下）するトークンＴを検出できるように構成されている。
【００１４】
以下、図２のフローチャートを用いて制御動作について説明する。今、非接触式自動改札機が出場モードに設定されているとする（ステップ１００肯定。以下、ステップを「Ｓ」とする。）。非接触式自動改札機が出場モードに設定されているときは、トークンＴを用いて出場する利用者からそのトークンＴを回収する必要があるので、シャッタＳは開とされる（Ｓ１０２）。なお、非接触式自動改札機が入場モードにおいても、トークンＴを投入口１に投入しての入場が可能となるように運用されているとき、シャッタＳは開かれる。この場合、投入口１に投入されたトークンＴは、返却口（図示せず）に全て返却される。
【００１５】
シャッタＳが開いて投入口１へのトークンＴの投入が可能な状態において、トークンＴが投入口１に近付けられて投入されると、そのトークンＴは、アンテナａの通信範囲となり、そのトークンＴと制御回路Ｃとの間でデータ授受が開始される。そして、制御回路Ｃは、トークンＴから得たデータ、すなわち、トークンデータを基にした出場用の演算処理の結果、出場を許可できると判定したとき（Ｓ１０４肯定、Ｓ１０６肯定）、ウイングＷは回収側となる（Ｓ１０８。図１の実線位置のウイングＷ参照。）。したがって、投入口１に投入されたトークンＴは、回収通路２ａへ導かれる。
【００１６】
トークンＴが回収通路２ａを通過（落下）する際、そのトークンＴは、センサ３で検出される（Ｓ１１０肯定）。センサ３でトークンＴが検出されると、そのトークンＴは確実に回収できると判定されて、ドア（図示せず）が開かれて（非接触式自動改札機がノーマルオープン型のときはそのまま）利用者の出場が許可される。そして、利用者とトークンＴ又は図示しない非接触券との対応をとるために、シャッタＳは、トークンＴを投入した利用者が改札通路から進出するまで閉とされる（Ｓ１１２）。
【００１７】
投入口１に投入されたトークンＴが乗越し等により出場を許可できないときは（Ｓ１０６否定）、ウイングＷは返却側となり、ドアは閉とされ（Ｓ１１４。図１の鎖線で示されるウイングＷ参照）、トークンＴは図示しない返却口に返却されるとともに、図示しない表示画面及びスピーカを介して精算処理案内等の所定の案内が行われる（Ｓ１１６）。
【００１８】
また、投入口１にトークンＴを投入することなく利用者が改札通路の所定位置（例えば中央位置）まで進入したときは、ドアが閉じられて改札通路の通過は阻止される（Ｓ１０４否定、Ｓ１１８肯定、Ｓ１２０）。
【００１９】
なお、上述の例では、トークンＴが回収されたことをホトセンサからなるセンサ３で検出したが、このセンサ３の取付位置はウイングＷの上でもよく、また、このセンサ３は、ホトセンサではなく金属物を検出することのできる金属センサを設けてトークンＴを検出するようにしてもよい。また、アンテナａと同様のアンテナを設けてもよい。このようなアンテナを設けたときは、そのアンテナでトークンＴと交信できたときにトークンＴが回収されたものと判定される。さらに、非接触記録媒体回収装置を非接触式自動改札機に適用した例を示したが、これを自動精算機等の他の機器に適用することもできる。
【００２０】
【発明の効果】
本発明の請求項１に記載の非接触記録媒体回収装置は、投入口に投入された非接触記録媒体の回収状態を検出する検出手段を設けるとともに、その検出手段でその投入された非接触記録媒体が回収されたことが検出された後に所定の処理を行うように制御する制御手段を設けたので、非接触記録媒体を確実に回収することができるとともに、その非接触記録媒体の不正使用を未然に防止することができる。
本発明の請求項２に記載の非接触記録媒体回収装置は、検出手段は、非接触記録媒体の回収通路に設けられたホトセンサからなるので、簡単な検出手段で非接触記録媒体を検出することができる。
本発明の請求項３に記載の非接触記録媒体回収装置は、検出手段は、非接触記録媒体の回収通路に設けられた金属センサからなるので、簡単な検出手段で非接触記録媒体を検出することができる。
本発明の請求項４に記載の非接触記録媒体回収装置は、検出手段は、非接触記録媒体の回収通路に設けられたその非接触記録媒体と通信を行うアンテナからなるので、回収物が非接触記録媒体であることを検出することができる。
本発明の請求項５に記載の非接触記録媒体回収装置は、アンテナは、投入口の近傍に設けられたアンテナと同一の制御回路に接続されているので、低コストに実現することができる。
【図面の簡単な説明】
【図１】本発明を非接触式自動改札機に適用したときの投入口部分の概略構成図である。
【図２】制御動作を示すフローチャートである。
【符号の説明】
１  投入口
２  通路
２ａ  回収通路
２ｂ  返却通路
３  センサ（検出手段）
ａ  アンテナ
Ｓ  シャッタ
Ｗ  ウイング
Ｃ  制御回路（Ｒ／Ｗ）
Ｔ  トークン（非接触記録媒体）
【図１】
2004199329.tif 000003
【図２】
2004199329.tif 000004